(57)【要約】【課題】  従来よりも給気の旋回成分を更に増強させて旋回誘引量を大きくでき，気流減衰特性をより向上させた置換換気システムを提供する。【解決手段】  空調空間１０内に低温空気ＳＡを供給し，空調空間１０内で加熱されて上昇した加熱空気を排気ＥＡすることにより換気を行う置換換気システム１であって，低温空気ＳＡの給気口１５に，空調空間１０内に吹き出される低温空気ＳＡに旋回成分を与える複数枚のガイドフィン３０を装着し，かつ，これら複数枚のガイドフィン３０は，給気口１５の中心軸１５’周りに放射状に配置されると共に，これら複数枚のガイドフィン３０は，給気口１５の中心軸１５’と直交する平面に対して互いに同じ角度で傾斜して設けられ，これら複数枚のガイドフィン３０の周囲に，給気口１５の中心軸１５’を中心軸とする円筒形状の内壁面３３を形成したことを特徴としている。【選択図】  図１
2005282892.tif 000002
【特許請求の範囲】
【請求項１】
空調空間内に低温空気を供給し，空調空間内で加熱されて上昇した加熱空気を排気することにより換気を行う置換換気システムであって，
低温空気の給気口に，空調空間内に吹き出される低温空気に旋回成分を与える複数枚のガイドフィンを装着し，かつ，これら複数枚のガイドフィンは，給気口の中心軸周りに放射状に配置されると共に，これら複数枚のガイドフィンは，給気口の中心軸と直交する平面に対して互いに同じ角度で傾斜して設けられ，
これら複数枚のガイドフィンの周囲に，給気口の中心軸を中心軸とする円筒形状の内壁面を形成したことを特徴とする，置換換気システム。
【請求項２】
前記給気口の中心軸に沿った方向における前記内壁面の長さが，前記給気口の中心軸に沿った方向におけるガイドフィンの幅の半分以上であることを特徴とする，請求項１に記載の置換換気システム。
【請求項３】
前記内壁面を吸音材で構成したことを特徴とする，請求項１または２に記載の置換換気システム。
【請求項４】
前記給気口を複数並べて配置し，低温空気に旋回成分を与える複数枚のガイドフィンを各給気口に装着すると共に，これら複数枚のガイドフィンの周囲を囲む円筒形状の内壁面を各給気口に形成し，
隣り合う給気口においては，互いのガイドフィンの傾斜方向が逆向きの関係になっていることを特徴とする，請求項１，２は３記載の置換換気システム。
【請求項５】
前記給気口の前方に多孔板を設け，この多孔板の開口率を４０％以上としたことを特徴とする，請求項１，２，３または４に記載の置換換気システム。
【請求項６】
前記給気口の開口直径Ｄと，前記給気口から前記多孔板までの離隔距離Ｍとの関係が，Ｍ／Ｄ≧０．０７であることを特徴とする，請求項５に記載の置換換気システム。
【発明の詳細な説明】
【技術分野】
【０００１】
本発明は，置換換気システムに関する。
【背景技術】
【０００２】
空調空間内における居住域の汚染質濃度を低減し，高めの冷房給気温度でも快適性を保つことができる空調システムとして，置換換気システム（Ｄｉｓｐｌａｃｅｍｅｎｔ  Ｖｅｎｔｉｌａｔｉｏｎ  Ｓｙｓｔｅｍ）が知られている。この置換換気システムでは，空調空間内の下部に形成される居住域に室温より若干低温の空気をゆっくりとした給気速度で供給し，その空気が居住域に存在する発熱体（例えば人）などによって加熱されて発生する上昇流により，空調空間内で生じた塵埃やガスなどの汚染質を空調空間内の上方に搬送している。参考文献(Yuan,X.,O.Chen and L.R.Glicksman:  Performance Evaluation and Design
Guideline for Displacement Ventilation, ASHRAE Trans.,105(1999),pp.308)によれば，この置換換気システムにおける給気速度は，ドラフト不快感の低減と，居住域で発生する熱上昇流の攪拌防止の観点から，０．２ｍ／ｓ以下に抑えることが推奨されている。そして，置換換気システムでは，天井などに設けられた排気口から加熱された空気と共に汚染質を排気することにより，空調空間内の換気を行う。
【０００３】
かかる置換換気システムにあっては，空調空間内の上方には，高温で汚染質濃度の高い領域が形成されるが，空調空間内に給気される低温空気によって順次押し出されることにより，高温で汚染質濃度の高い空気が攪拌されることなく排気されるため，空調空間内下方の居住域は清浄な環境に保たれ，また，給気温度を下げなくても居住域の温度を快適範囲に維持できるといった利点がある。このように，置換換気システムは，省エネルギーと高換気効率運転が可能な空調システムとして期待されている。
【０００４】
ところで，この置換換気システムでは，足下と頭部の温度差を例えば３℃以下（ISO, ASHRAE快適性基準値）に抑えて快適性を確保するために，給排気温度差を小さくした大風量運転を行う必要がある。そのため，空調空間に大きな給気ユニットを多数配置せねばならず，給気ユニットの設置場所の確保が困難な場合があった。また，汚染質が発熱を伴う部位や近辺から発生する場合は，熱上昇流によって汚染質が居住域から天井部に排出されるため，居住空間の汚染質濃度を低く保つことができるが，発熱を伴わない場合には，汚染質の攪拌希釈作用が小さいために居住者が高濃度の汚染空気に暴露される危険があった。
【０００５】
そこで給気ユニットのコンパクト化による設置場所の確保，居住域の温度勾配の縮小，居住域の汚染質希釈効果の向上を図るために，特許文献１には，複数のガイドフィンによって吹出し空気に旋回成分を与えて給気ユニット近傍の誘引量を増加させることによって給気の拡散性を向上させた置換換気システムが開示されている。
【０００６】
【特許文献１】特開２００２−３７２２６８号公報
【０００７】
この特許文献１の置換換気システムによれば，給気を拡散させることにより，設備コストを増大させることなく，ドラフトによる不快感を低減し，しかも，居住域内の上下温度差も小することができる。本発明は，この特許文献１の置換換気システムを更に改良するものである。
【発明の開示】
【発明が解決しようとする課題】
【０００８】
本発明の目的は，従来よりも給気の旋回成分を更に増強させて旋回誘引量を大きくでき，気流減衰特性をより向上させた置換換気システムを提供することにある。
【課題を解決するための手段】
【０００９】
本発明によれば，空調空間内に低温空気を供給し，空調空間内で加熱されて上昇した加熱空気を排気することにより換気を行う置換換気システムであって，低温空気の給気口に，空調空間内に吹き出される低温空気に旋回成分を与える複数枚のガイドフィンを装着し，かつ，これら複数枚のガイドフィンは，給気口の中心軸周りに放射状に配置されると共に，これら複数枚のガイドフィンは，給気口の中心軸と直交する平面に対して互いに同じ角度で傾斜して設けられ，これら複数枚のガイドフィンの周囲に，給気口の中心軸を中心軸とする円筒形状の内壁面を形成したことを特徴とする，置換換気システムが提供される。
【００１０】
前記給気口の中心軸に沿った方向における前記内壁面の長さが，前記給気口の中心軸に沿った方向におけるガイドフィンの幅の半分以上であることが好ましい。前記内壁面を吸音材で構成しても良い。また，前記給気口を複数並べて配置し，低温空気に旋回成分を与える複数枚のガイドフィンを各給気口に装着すると共に，これら複数枚のガイドフィンの周囲を囲む円筒形状の内壁面を各給気口に形成し，隣り合う給気口においては，互いのガイドフィンの傾斜方向が逆向きの関係になっているように構成しても良い。また，前記給気口の前方に多孔板を設けても良い。その場合，この多孔板の開口率を４０％以上とするのが良い。また，前記給気口の開口直径Ｄと，前記給気口から前記多孔板までの離隔距離Ｍとの関係が，Ｍ／Ｄ≧０．０７となるようにするのが良い。
【発明の効果】
【００１１】
本発明によれば，ガイドフィンの周囲に円筒形状の内壁面を形成したことにより，空調空間内に吹き出す低温空気に対して，円筒形状の内壁面がない場合に比べてより多くの旋回成分を与えることができる。このため，吹き出した低温空気流に誘引される空調空間内の空気の誘引量（誘引比)を更に増加させることができ，空調空間内に吹き出した低温空気の速度を速やかに減速させ，速やかに昇温させることができるようになる。このため，空調空間内の上下温度差を更に小さくすることが可能となる。また，熱上昇流によって居住域から天井部に排出されない汚染質であっても，希釈させることができる。本発明によれば，従来の置換換気システムに比べてよりコンパクトな給気ユニットとすることができるようになる。
【発明を実施するための最良の形態】
【００１２】
以下，本発明の好ましい実施の形態を図面を参照にして説明する。図１は，本発明の実施の形態にかかる置換換気システム１を説明するための概略構成図である。
【００１３】
空調空間１０は，例えば事務室，電算室，客室，宴会場，遊技場，印刷室，病室，便所，厨房，機械室，ボイラ室，工場などであり，天井，床及び側壁で区画されている。この図１に示す例では，空調空間１０の内部下方に形成される居住域１１に，発熱体として例えば人間１２が存在している。空調空間１０内の一側面（図示では，空調空間１０内の右側面）１７の下部には給気口１５が設けられ，同様に，空調空間１０内の一側面１７の上部には，排気口１６が設けられている。なお，給気口１５の詳しい構成については後述する。空調空間１０の一側面１７の下部背面側には，給気ユニット２０が設けられており，この給気ユニット２０の前面２１が，空調空間１０の一側面１７の下部に露出している。
【００１４】
こうして空調空間１０の一側面１７下部に露出した給気ユニット２０の前面２１には，図２に示すように，円形状の給気口１５が縦横に並べて複数配置されている。給気ユニット２０には，外気ＯＡを空調機２２に取り込んで作られた低温空気ＳＡが，給気ダクト２３を経て供給されている。これにより，給気ユニット２０の前面２１に形成された複数の給気口１５から，空調空間１０の内部下方の居住域１１に向かって低温空気ＳＡが供給されるようになっている。空調機２２は，外気ＯＡを冷却して低温空気ＳＡを作るための冷却器２５やフィルタ（図示せず)を備えており，また，作った低温空気ＳＡを給気ダクト２３及び給気ユニット２０を経て空調空間１０内に供給する給気ファン２７などを備えている。
【００１５】
図３に示すように，各給気口１５には，空調空間１０内に吹き出される低温空気ＳＡに旋回成分を与えるための複数枚のガイドフィン３０がそれぞれ固定されている。各給気口１５の中心軸上に支持部材３１が配置されており，この支持部材３１に複数枚のガイドフィン３０がほぼ等間隔で装着されることにより，給気口１５の中心軸周りに複数枚のガイドフィン３０が放射状に配置されている。
【００１６】
これら複数枚のガイドフィン３０は，給気口１５の中心軸１５’と直交する平面（例えば，給気ユニット２０の前面２１）に対していずれも同じ傾斜角度となるように斜めに設けられている。図４，５は，各ガイドフィン３０の傾斜角度の説明図であり，図４と図５では，各ガイドフィン３０の傾斜方向が逆向きの関係になっている。即ち図４では，給気口１５から空調空間１０内に吹き出される低温空気ＳＡに対して，給気ユニット２０の前面２１を空調空間１０の室内側から見た場合において，反時計回転方向の旋回成分を与えるように，各ガイドフィン３０が傾斜して設けられている。一方図５では，給気口１５から空調空間１０内に吹き出される低温空気ＳＡに対して，給気ユニット２０の前面２１を空調空間１０の室内側から見た場合において，時計回転方向の旋回成分を与えるように，各ガイドフィン３０が傾斜して設けられている。
【００１７】
このように，各給気口１５において支持部材３１を中心に傾斜したフィン３０を放射状に取り付けたことにより，給気ユニット２０の内部から給気口１５に向かって流れ込んできた低温空気ＳＡを，給気口１５を通過する際に，各フィン３０の表面に沿わせて強制的に流すことができる。これにより，給気口１５から空調空間１０に向かって吹き出す低温空気ＳＡに，中心軸１５’を中心とする時計回転方向または反時計回転方向の旋回成分をそれぞれ与えるようになっている。
【００１８】
前述のように給気ユニット２０の前面（空調空間１０を形成している室の内部側の面)２１には，複数の給気口１５が縦横に並べて配置されているが，隣り合う給気口１５から吹き出される低温空気ＳＡの旋回成分は，互いに逆の回転方向の関係になっている。即ち，例えば図６に示すように上下方向に並んだ４つの給気口１５ａ，１５ｂ，１５ｃ，１５ｄを例にして説明すると，１番上の給気口１５ａと上から３番目の給気口１５ｃでは，ガイドフィン３０の傾斜方向が図４で説明した状態であり，これら給気口１５ａと給気口１５ｃからは，給気ユニット２０の前面２１を空調空間１０の室内側から見た場合において，反時計回転方向の旋回成分を与えられた低温空気ＳＡが吹き出される。一方，上から２番目の給気口１５ｂと４番目の給気口１５ｄでは，ガイドフィン３０の傾斜方向が図５で説明した状態であり，これら給気口１５ｂと給気口１５ｄからは，給気ユニット２０の前面２１を空調空間１０の室内側から見た場合において，時計回転方向の旋回成分を与えられた低温空気ＳＡが吹き出される。このように，隣り合う給気口１５ａと給気口１５ｂ，給気口１５ｂと給気口１５ｃ，給気口１５ｃと給気口１５ｄの間において，それぞれ互いに逆の回転方向に旋回する低温空気ＳＡを吹き出すようになっている。
【００１９】
即ち，図７に示すように，上下方向に並んだ４つの給気口１５ａ’，１５ｂ’，１５ｃ’，１５ｄ’からいずれも同じ回転方向に旋回する低温空気ＳＡ（図７に示す例では，いずれも反時計回転方向に旋回する低温空気ＳＡ)を吹き出した場合，給気口１５ａ’と給気口１５ｂ’の間，給気口１５ｂ’と給気口１５ｃ’の間及び給気口１５ｃ’と給気口１５ｄ’の間において，互いに打ち消しあう方向に低温空気ＳＡが吹き出されることとなる。そうすると，各給気口１５ａ’，１５ｂ’，１５ｃ’，１５ｄ’から吹き出される低温空気ＳＡの旋回成分が相殺されてしまう。
【００２０】
一方，図６で説明したように，各給気口１５ａ，１５ｂ，１５ｃ，１５ｄから吹き出す低温空気ＳＡの旋回成分を交互に逆の回転方向とすれば，給気口１５ａと給気口１５ｂの間，給気口１５ｂと給気口１５ｃの間及び給気口１５ｂと給気口１５ｃの間のいずれにおいても，互いに同じ方向に低温空気ＳＡが吹き出されることとなるので，各給気口１５ａ，１５ｂ，１５ｃ，１５ｄから吹き出される低温空気ＳＡの旋回成分が相殺されず，お互いに旋回運動を助長しあうようになる。
【００２１】
なお，図６では，上下に配列された給気口１５の関係について説明したが，先に図２で説明したように，給気ユニット２０の前面２１には複数の給気口１５が縦横に並べて配置されている。この図示の形態では，図８に示すように，上下に配列された給気口１５の関係では，隣り合う給気口１５から吹き出される低温空気ＳＡの旋回成分が，互いに逆の回転方向の関係となるように，各給気口１５に設けられたフィン３０の傾斜方向が設定されているが，左右に配列された給気口１５の関係では，隣り合う給気口１５から吹き出される低温空気ＳＡの旋回成分が，互いに同じ回転方向の関係となるように，各給気口１５に設けられたフィン３０の傾斜方向が設定されている。
【００２２】
図３に示すように，各給気口１５に装着される複数枚のガイドフィン３０の周囲には，円筒３２が取付けてある。給気口１５の中心軸１５’に円筒３２の中心軸を一致させた状態で，各給気口１５毎に円筒３２がそれぞれ装着されている。円筒３２の内径は，各給気口１５に取り付けられている複数枚のガイドフィン３０の外径とほぼ等しく設定されている。従って各給気口１５において，複数枚のガイドフィン３０の外周は，円筒３２の内壁面３３（給気口１５の中心軸１５’を中心軸とする円筒形状の内壁面３３）によって囲まれた状態になっている。これにより，図４，５に示すように，給気ユニット２０の内部から給気口１５を通って空調空間１０内に吹き出される低温空気ＳＡは，各給気口１５に取り付けられている円筒３２内を通過し，その際に，円筒３２内において各ガイドフィン３０の表面に沿って流れることにより，低温空気ＳＡに時計回転方向または反時計回転方向の旋回成分が強制的に与えられる。
【００２３】
ここで図３に示すように，各給気口１５において，給気口１５の中心軸１５’に沿った方向における円筒３２の長さＬは，同じく給気口１５の中心軸１５’に沿った方向におけるガイドフィン３０の幅ｌの半分以上に設定されている。これにより，給気口１５の中心軸１５’に沿った方向において，ガイドフィン３０の幅ｌのうちの少なくとも半分以上の部分が，周囲を円筒３２の内壁面３３で囲まれるように構成されている。なお，図３に示す例では，円筒３２の長さＬは，ガイドフィン３０の幅ｌよりも更に長くなるように設定されており，これによって，給気口１５の中心軸１５’に沿った方向において，ガイドフィン３０の幅ｌの全部の部分が，周囲を円筒３２の内壁面３３で囲まれた構成になっている。
【００２４】
図１に示すように，空調空間１０の上部に配置された排気口１６には，排気ファン４０を備えた排気ダクト４１が接続されている。これにより，空調空間１０の上部に溜まった空気（空調空間１０に存在している人体やＯＡ機器などの熱負荷によって加熱された空気)が，排気ダクト４１を経て外部に排気ＥＡされるようになっている。
【００２５】
さて，以上のように構成された置換換気システム１において，空調機２２で作った低温空気ＳＡを，給気ファン２７の稼動により，給気ダクト２３及び給気ユニット２０から給気口１５を通じて空調空間１０内に供給する。給気口１５を通る際に，低温空気ＳＡは各給気口１５に取り付けられている円筒３２内を通過し，その際に，円筒形状の内壁面３３内において各ガイドフィン３０の表面に沿って流れることにより，低温空気ＳＡに時計回転方向または反時計回転方向の旋回成分が強制的に与えられる。こうして，空調空間１０内に向かって，各給気口１５から旋回しながら低温空気ＳＡが給気される。
【００２６】
この場合，各給気口１５においてガイドフィン３０の周囲が円筒形状の内壁面３３内で囲まれていることにより，円筒３２（内壁面３３）が無い場合に比べて，各給気口１５から空調空間１０内に給気される低温空気ＳＡに，より強い旋回成分を確実に与えることができる。
【００２７】
そして，各給気口１５から旋回しながら空調空間１０内に向かって低温空気ＳＡが給気されると，各給気口１５から吹き出した低温空気ＳＡに，空調空間１０内の空気が誘引されて一緒に移動する誘引作用がはたらく。この場合，図示の置換換気システム１にあっては，給気口１５から吹き出す低温空気ＳＡに旋回成分が与えられるので，低温空気ＳＡに誘引される空調空間１０内の空気の誘引量（誘引比)が増加する。これに伴い，運動量保存則に従って低温空気ＳＡの速度は，各給気口１５から吹き出した後，速やかに減速することとなる。
【００２８】
ここで，ガイドフィン３０の周囲を円筒形状の内壁面３３（円筒３２）で囲んだ場合と，円筒３２を省略してガイドフィン３０の周囲が開放している場合とを比較したところ，次の知見を得た。即ち，給気ユニット２０の前面２１（高さ０．９ｍ，幅０．３ｍ）に直径Ｄ＝９４ｍｍの円形状の給気口１５を１２箇所に設け，各給気口１５にガイドフィン３０を設けたものにおいて，ガイドフィン３０の周囲を円筒３２で囲んだ場合と，円筒３２を省略した場合の，給気ユニット２０の前面２１からの距離に対する気流速度（給気ユニット２０の前面２１から任意の距離を離れた位置における空調空間１０内の最大風速）を比較したところ，図９のようになった。また，同様の場合について，給気ユニット２０の前面２１からの距離に対して，最低空気温度と給気温度との差を給排気温度差で無次元化して比較したところ，図１０のようになった。なお，図１０中の縦軸である最低無次元空気温度は，次式で表される。
最低無次元空気温度TF* ＝
(TF − TS)(TE −
TS)
TF：足元最低温度，TS：吹き出し温度，TE：吸い込み温度
【００２９】
本発明のようにガイドフィン３０の周囲を円筒形状の内壁面３３で囲むことにより，給気口１５から吹き出された低温空気ＳＡの気流速度が速やかに減少し，また，居住域１１に給気される低温空気ＳＡの温度が速やかに上昇することが確認できた。一方，円筒３２が無い場合は，ガイドフィン３０の周囲が開放しているため，図３中の一点鎖線ＳＡ’で示されるように，ガイドフィン３０の周囲にある空気（給気ユニット２０内の低温空気）が給気口１５の周りから流れ込み，その影響で，給気口１５から吹き出される低温空気ＳＡに充分な旋回成分を与えられなくなり，給気口１５から吹き出された低温空気ＳＡによって誘引される空調空間１０内の空気の誘引量（誘引比）が減少してしまうため，気流減衰特性を向上させることができない。この点，本発明のようにガイドフィン３０の周囲を円筒形状の内壁面３３で囲むことにより，そのような周囲からの流入が妨げられて，給気口１５から吹き出される低温空気ＳＡに旋回成分をより多く与えることが可能となる。
【００３０】
また，ガイドフィン３０の周囲を囲む円筒形状の内壁面３３（円筒３２）の長さについて検討したところ，図１１，１２のようになった。即ち，直径Ｄ＝１６０ｍｍの円形状の給気口１５に幅ｌ＝１６ｍｍのガイドフィン３０を装着し，ガイドフィン３０の周囲を円筒形状の内径Ｄ＝１６０ｍｍの内壁面３３（円筒３２）で囲んだ場合の，内壁面３３（円筒３２）の長さＬとガイドフィン３０の幅ｌの関係を調べた。内壁面３３（円筒３２）の長さＬを，ガイドフィン３０の幅ｌの半分から３倍に相当する長さの範囲で変化させ，給気ユニット２０の前面２１から距離２００ｍｍの位置における風速分布を比較した。また，円筒３２を省略した場合（内壁面３３の長さＬ＝０）の場合もあわせて比較した。図１１は，給気口１５から吹き出される低温空気ＳＡの流量が９０ｍ３／ｈの場合，図１２は，給気口１５から吹き出される低温空気ＳＡの流量が１５０ｍ３／ｈの場合である。図１１，１２において，横軸は，給気ユニット２０の前面２１から距離２００ｍｍの位置における給気口１５の中心軸から直径方向に離れた各位置を示しており，一方側（正側）に離れた位置と，他方側（負側）に離れた位置とで，それぞれ平均気流速度を実測して比較した。
【００３１】
円筒３２を取り付けない場合は，取り付けた場合よりも給気口１５の中心付近の風速が速くなった。また図１１，１２において，低温空気ＳＡの流量を９０ｍ３／ｈと１５０ｍ３／ｈに変化させて吹き出しレイノルズ数を変えた測定を実施したが，円筒３２の変化に対する気流速度の分布に大きな差が生じないことが確認できた。実用状を考えると，ガイドフィン３０の幅ｌは１３ｍｍ程度であり，内壁面３３（円筒３２）の長さＬをこの幅ｌの半分未満としたのでは，内壁面３３（円筒３２）を設けた意味が薄れてしまう。内壁面３３（円筒３２）の長さＬは，ガイドフィン３０の幅ｌの半分以上にすれば良いと言える。
【００３２】
かくして，ガイドフィン３０の周囲を円筒形状の内壁面３３で囲うことにより，空調空間１０内の居住域１１に吹き出す低温空気ＳＡに対して，円筒３２がない場合に比べてより多くの旋回成分を与えることができるので，吹き出した低温空気流に誘引される空調空間１０内の空気の誘引量（誘引比)を更に増加させることができ，空調空間１０内に吹き出した低温空気ＳＡの速度を速やかに減速させ，速やかに昇温させることができるようになる。そして，空調空間１０内に供給された低温空気ＳＡは，温度差により，空調空間１０内の下方に下降するように流れ，空調空間１０内の下方の居住域１１を低速で満たしていき，居住域１１を快適な環境に保つことが可能となる。
【００３３】
一方，空調空間１０内の例えば居住域１１には，発熱体としての人間１２などが存在しているので，居住域１１に供給されて人間１２やその他の発熱機器類などに熱的に接触した低温空気ＳＡは，やがて加熱され，緩やかに上昇する。その上昇流により，空調空間１０内の居住域１１において人間１２の周りに生じた塵埃やガスなどの汚染質を空調空間１０内の上方に搬送することができる。
【００３４】
そして，空調空間１０の上部に溜まった空気（加熱された空気)は，攪拌されることなく，即ち，空調空間１０内の下部に形成された居住域１１の温度成層を乱すことなく，排気口１６及び排気ダクト４１を経て，排気ファン４０外部に排気ＥＡされる。こうして，低温空気ＳＡを空調空間１０下部の居住域１１に供給しつつ，空調空間１０の上部から，加熱空気と共に塵埃やガスなどの汚染質を排気することにより，空調空間１０内の換気が行われ，空調空間１０下部の居住域１１は清浄な低温空気ＳＡの環境に保たれる。
【００３５】
この置換換気システム１によれば，空調空間１０内の居住域１１にいる人間１２にドラフトを感じにくくさせることができる。また，給気口１５から吹き出した低温空気ＳＡに対し，より高温な周囲空気（空調空間１０内の空気)が誘引される量が増加し，低温空気ＳＡと周囲空気との温度差が速やかに小さくなり，空調空間１０内の居住域１１における上下温度差をより小さくすることが可能となる。こうして，空調空間１０内をなるべく少風量で効率よく空調でき，省エネルギに貢献することができる。
【００３６】
以上，本発明の好ましい実施の形態の一例を説明したが，本発明は図示の形態に限定されない。例えば，各給気口１５においてガイドフィン３０の周囲を囲んでいる円筒形状の内壁面３３を吸音材で構成しても良い。その場合，各給気口１５に取付けられる円筒３２自体を吸音材で構成しても良いし，円筒３２の内面に吸音材を配置するようにしても良い。
【００３７】
図１３は，円筒３２の材質を変えた場合に発生する騒音を比較したものである。即ち，円筒３２を吸音効果の高い発泡成形したポリウレタンで構成した場合と，合板で構成した場合を比較して，低温空気ＳＡの吹出し風速と発生騒音の関係を示している。円筒３２を吸音効果の高い発砲成形したポリウレタンで構成すれば，発生騒音が抑制されることが確認できた。
【００３８】
また図１４に示すように，給気ユニット２０の前面２１の前方に多数の通気孔５０が形成された多孔板５１を前面２１と平行に配置し，各給気口１５の前方に所定の隙間Ｍを空けて多孔板５１が設けられるように構成しても良い。そうすれば，各給気口１５から噴出された低温空気ＳＡを，更に多孔板５１に形成された通気孔５０を通して空調空間１０内に給気することにより，気流減衰特性をより向上させることができる。
【００３９】
このように多孔板５１を給気口１５の前方に設ける場合について，多孔板５１の開口率（通気孔５０の面積）を検討した。また，給気口１５の開口直径Ｄと給気口１５から多孔板５１までの離隔距離Ｍの関係を検討した。それぞれガイドフィン３０を装着した直径Ｄ＝１８８ｍｍの給気口１５を４箇所に設けた高さ６００ｍｍ×幅６００ｍｍの前面２１を有する給気ユニット２２において，４００ｍ３／ｈの等温給気を行い，孔径６ｍｍの通気孔５０を有する多孔板５１の開口率を変えて，低温空気ＳＡの最大風速を比較した。多孔板５１と給気口１５の離隔距離Ｍは２５ｍｍとした。多孔板５１の表面からの距離Ｘ＝１００ｍｍ，４００ｍｍ，７００ｍｍ，１０００ｍｍの位置において，多孔板５１の開口率（通気孔５０の面積）と低温空気ＳＡの最大風速の関係をそれぞれ調べたところ，図１５のようになった。なお，最大風速Ｖｍａｘは，給気口１５の位置での平均吹出し速度Ｖ０で無次元化した。多孔板５１の開口率が４０％以上であれば，本発明の効果をそこなうことが無く，特にＸ＝１ｍの位置では，多孔板５１の開口率６０％程度の時に最大風速Ｖｍａｘを最も小さくできることが確認された。
【００４０】
また同様の場合について，多孔板５１の開口率を５８％（開口口径６ｍｍ）として，給気口１５から多孔板５１までの離隔距離Ｍを変え，多孔板５１の表面からの距離Ｘ＝１００ｍｍ，４００ｍｍ，７００ｍｍ，１０００ｍｍの位置において，給気口１５から多孔板５１までの離隔距離Ｍと低温空気ＳＡの最大風速の関係をそれぞれ調べたところ，図１６のようになった。なお図１６中，横軸は給気口１５の開口直径Ｄに対する給気口１５から多孔板５１までの離隔距離Ｍの比（Ｍ／Ｄ）を示す。給気口１５から多孔板５１までの離隔距離Ｍを給気口１５の開口直径Ｄの７％以上とした場合では，多孔板５１の表面からの距離Ｘ＝１０００ｍｍの位置において，最大風速の差が小さくなっていることが確認できた。
【００４１】
なお図３等では，各給気口１５に装着した円筒３２の内壁面３３によってガイドフィン３０の周囲を囲む例を説明したが，ガイドフィン３０の周囲を囲む内壁面３３を備えていれば十分であり，必ずしも円筒３２としなくても良い。即ち，図１７に示すように，給気ユニット２０の前面２１が充分な厚さを有し，円形状の給気口１５を形成した際に，円筒形上に形成される内壁面３３の長さＬが，ガイドフィン３０の幅ｌの半分以上となる場合であれば，円筒３２を省略できる。例えば，給気ユニット２０の前面２１を吸音効果の優れるグラスウール等で充分な厚さに構成すれば，円筒３２を省略できるだけでなく，図１３で説明したような発生騒音の抑制も期待できる。
【００４２】
また，図４，５では，支持部材３１に複数のガイドフィン３０を放射状に取り付けた構成を説明したが，各給気口１５に装着される吹出部材の構成は，この形態に限定されない。例えば本出願人が先に特開平９-２５０８０３号で開示した旋回流形成板の如き構成でも良い。即ち，例えば図１８に示すように，円形状の平板５５の中央に円形状の支持部材３１を残すようにし，支持部材３１の周りを扇形状のガイドフィン３０として打ち抜き，各ガイドフィン３０を所定の角度に折り曲げて傾斜させることによって，容易に形成することができる。いずれにしても，旋回成分を与えることができるガイドフィン３０を形成できれば良い。
【００４３】
また先に図８に示した形態では，上下に配列された給気口１５の間では，隣り合う給気口１５から吹き出される低温空気ＳＡの旋回成分が，互いに逆の回転方向の関係となるが，横に配置された給気口１５の間では，隣り合う給気口１５から吹き出される低温空気ＳＡの旋回成分が，互いに同じ回転方向の関係となるように設定された例を示したが，各給気口１５に設けられるフィン３０の傾斜方向は，必ずしもこのような設定としなくても良い。例えば，図示はしないが，横に配列された給気口１５の間では，隣り合う給気口１５から吹き出される低温空気ＳＡの旋回成分が，互いに逆の回転方向の関係となるが，上下に配置された給気口１５の間では，隣り合う給気口１５から吹き出される低温空気ＳＡの旋回成分が，互いに同じ回転方向の関係となるように設定されていても良い。また，上下左右に配列された給気口１５のいずれの間においても，隣り合う給気口１５から吹き出される低温空気ＳＡの旋回成分が，互いに逆の回転方向の関係となるように，各給気口１５に設けられたフィン３０の傾斜方向が設定されていても良い。更に，全部の給気口１５から吹き出される低温空気ＳＡの旋回成分が，いずれも同じ回転方向の関係となるように設定されていてもよい。また，各給気口１５から吹き出される低温空気ＳＡの旋回成分が，不規則に同じ回転方向となったり逆の回転方向となるように設定されていてもよい。各給気口１５から吹き出される低温空気ＳＡの旋回成分の回転方向は，任意に設定できる。
【００４４】
また，給気ダクト２３に円形状の給気口１５を直接開口させて，その給気口１５から空調空間１０内に低温空気ＳＡを吹き出すように構成し，そこに低温空気ＳＡに旋回成分を与えるための複数枚のガイドフィン３０と円筒３２を取り付けても良い。そうすれば，給気ユニット２０を省略することができる。その他，建築的に構築された給気ユニットにガイドフィンや円筒，多孔板を取り付け，給気ユニット内に給気を通風しても良い。給気ユニットは，壁や２重床を利用しても良い。
【００４５】
給気ユニットへのダクト接続は，給気ユニットの上方や側方から行っても良いし，下方から行っても良い。また，二重床内に給気を通風して給気ユニットへ送風しても良い。この場合は，給気ユニットまでの給気ダクトを省略できる。さらに給気ユニットを柱の周囲に設置しても良い。
【００４６】
また例えば，図１中に点線で記入した戻りダクト４５設けることにより，排気ＥＡの一部を空調機２２に戻して，再利用するように構成しても良い。また，排気ファン４０を省略し，空調空間１０内の下方に供給した低温空気ＳＡによって，空調空間１０の上部に溜まった加熱空気を順次押し出すようにしても良い。また，排気口１６を空調空間１０の天井に形成してもよい。更に，本発明の置換換気システムは，居室に限らず，前述したような人間や各種機器類などが存在する種々の空調空間について適用できる。
【実施例】
【００４７】
図１９に示すように，平面視で１５ｍ×１６ｍの床を有し，その内部の一部に７．１ｍ×７．２ｍの間仕切（非空調空間）が形成された床面積１９０ｍ２，天井高さ１０ｍの空調空間１０（機械工作室）に給気ユニットを配置し，また，高さ４ｍの位置で水平に給気を吹き出す直径５００ｍｍのノズルを設置し，これら給気ユニットとノズルによる空調を行った。給気ユニットは，幅０．６ｍ，高さ２．１ｍの前面に給気口を形成し，各給気口に低温空気ＳＡに旋回成分を与えるための複数枚のガイドフィンを装着して，ガイドフィンの周囲を円筒によって囲んだ構成の給気ユニット（本発明の実施例）と，幅１ｍ，高さ２．１ｍの前面に給気口を形成し，各給気口に低温空気ＳＡに旋回成分を与えるための複数枚のガイドフィンのみを設けた構成の従来の給気ユニット（比較例１）の２種を比較した。また，高さ４ｍの位置に設置したノズルから水平に低温空気ＳＡを給気した場合を比較例２とした。
【００４８】
空調空間１０内には，図１９中に示したように，工作機械Ｈ１〜Ｈ８が配置されており，これら各工作機械Ｈ１〜Ｈ８と天井に配置された水銀灯による発熱負荷が空調空間１０内に発生している。これら工作機械Ｈ１〜Ｈ８及び水銀灯による発熱負荷は，約８０Ｗ／ｍ２に相当する。図１９中に示した各地点Ａ〜Ｆにおいて，温度，風速分布，汚染質の空間分布を実測し，比較した。地点Ａは給気ユニットの前方直近であり，地点Ｂは，地点Ａよりも離れた給気ユニットの前方位置であり，地点Ｃは，地点Ｂよりも更に離れた給気ユニットの前方位置である。地点Ｄは，給気ユニットの前方ではなく，間仕切を回り込んだ位置である。地点Ｅ，Ｆはいずれも空調空間１０の内側壁の表面である。また，地点Ｂと工作機械Ｈ３の位置では汚染質としてのトレーサガスを供給した。
【００４９】
本発明の実施例と比較例１，２を比較した際の空調運転状態を，図２０（表１）に示した。排気は天井部に設置した有圧扇から行い，排気風量が給気風量と同じになるように調整した。比較は，空調風量を４０００ｍ３／ｈ，給気温度を１８℃と同じ条件に調整し，外気温度が３０℃の時に行った。汚染質を模擬するトレーサガスは，密度を空気と同等に調整したＳＦ６とＨｅの混合ガスを使用し，発熱のある工作機械（Ｈ３）の直上，または発熱のない場所（Ｂ点床上１ｍ）から一定流量で放出し，本発明の実施例と比較例１，２のそれぞれの場合について空間濃度を実測した。
【００５０】
図２１に，給気口からの距離が遠く，かつ発熱のある工作機器Ｈ２〜６に囲われた地点Ｄの上下温度分布を示す。混合方式であるノズル（比較例２）を運転した場合と比較して，本発明の実施例および比較例１では，居住域の空気温度が低くかつ非居住域である天井部の空気温度が高くなることが確認できる。居住域内の上下温度差は，比較例１より本発明の実施例の方が小さく，より快適な状態を維持できている。
【００５１】
図２２〜２５に各地点Ａ〜Ｄの風速分布をそれぞれ示す。比較例１は，本発明の実施例より遅い吹出し風速（０．３ｍ／ｓ）で運転を実施したが，地点Ａ〜地点Ｃの足下風速が本発明の実施例より速くなることが確認できる。また，給気ユニットから離れた地点Ｄでは，本発明の実施例の居住域風速が比較例１より全体的に速くなっている。本発明の実施例は比較例１より給気誘引量を大きくするため，遠方に到達する見かけの給気風量が大きくなると言える。
【００５２】
図２６は，地点Ｄの床上１ｍのＰＭＶとＳＥＴ＊を比較したものである。比較は，代謝量を１．２ｍｅｔ，着衣量を０．６ｃｌｏとして行った。３方式の中で本発明の実施例が最も遠方部の温熱快適性を向上できることが判る。
【００５３】
図２７〜２９は，発熱機器Ｈ３からトレーサガスを放出した場合における各地点Ａ，Ｃ，Ｄの濃度分布を排気口の濃度で無次元化して示している。居住域である床上１ｍの濃度は，比較例１が最も低くできるが，本発明の実施例の居住域濃度はノズルの場合の半分程度であることが確認できる。
【００５４】
図３０〜３２は，発熱のない地点Ｂの床上１ｍからトレーサガスを放出した場合における各地点Ａ，Ｃ，Ｄの濃度分布を排気口の濃度で無次元化して示している。床上１ｍの居住域平均濃度は本発明の実施例が最も低くできることが判る。比較例１での室内空気は，給気の移流する足下と，発熱によって生じる熱上昇流の発生する場所にのみ活発になる。そのため，浮力の生じない場所から汚染質が発生する場合は，汚染質が希釈されずに居住域に高濃度部が生じる。旋回流によって居住域空気を誘引する本発明の実施例は，居住域内の空気流動が生じるため，汚染質を効率よく希釈できる。
【００５５】
図３３は，外気温度が１０℃の場合において給気温度を３０℃，空調風量を４０００ｍ３／ｈで暖房運転した場合における地点Ｄの上下温度分布を実測比較したものである。暖房を行う場合，給気は浮力で天井部に上昇し，壁面で冷却されて下降する。本発明の実施例は，旋回流によって居住域空気を誘引するため，暖房時には天井部空気と居住域空気の混合が促進される。そのため，比較例１および比較例２の場合では居住域内の上下温度差が大きいのに対し，本発明の実施例では，居住域に設置した給気口の旋回流誘引による混合によって床上０．１ｍの足下温度が２℃程度高くなり，居住域内の上下温度差が縮小している。また，床上１ｍの居住域温度は，本発明の実施例が比較例１，２より１℃程度高い。３つを比較した場合，本発明の実施例が最も効率よく暖房できることが確認できる。
【産業上の利用可能性】
【００５６】
本発明は，事務所ビル，商業ビルなどといった業務用ビルの他，ホール，設備等の他の建築物にも適用できる。
【図面の簡単な説明】
【００５７】
【図１】本発明の実施の形態にかかる置換換気システムを説明するための概略構成図である。
【図２】給気ユニットの前面図である。
【図３】図２におけるＺ−Ｚ断面拡大図である。
【図４】空調空間の室内側から見て反時計回転方向の旋回成分を低温空気に与えるようにガイドフィンを取り付けた給気口の斜視図である。
【図５】空調空間の室内側から見て時計回転方向の旋回成分を低温空気に与えるようにガイドフィンを取り付けた給気口の斜視図である。
【図６】隣り合う給気口から吹き出される低温空気の旋回成分を交互に逆の回転方向とした給気口の説明図である。
【図７】隣り合う給気口から吹き出される低温空気の旋回成分を同じ回転方向とした給気口の説明図である。
【図８】上下に配列された給気口と横に配置された給気口のいずれの間においても，隣り合う給気口から吹き出される低温空気の旋回成分が，互いに逆の回転方向の関係となるように設定された給気口の説明図である。
【図９】ガイドフィンの周囲を円筒で囲んだ本発明の置換換気システムと，円筒を省略した従来例の置換換気システムについて，給気ユニットからの距離に対する最大風速の変化を示したグラフである。
【図１０】ガイドフィンの周囲を円筒で囲んだ本発明の置換換気システムと，円筒を省略した従来例の置換換気システムについて，給気ユニットからの距離に対する給排気温度差の変化を示したグラフである。
【図１１】ガイドフィンの周囲を囲む円筒形状の内壁面（円筒）の長さに対する平均気流流速の関係を示すグラフであり，低温空気の流量が９０ｍ３／ｈの場合である。
【図１２】ガイドフィンの周囲を囲む円筒形状の内壁面（円筒）の長さに対する平均気流流速の関係を示すグラフであり，低温空気の流量が１５０ｍ３／ｈの場合である。
【図１３】円筒の材質を変えた場合に発生する騒音を比較したグラフである。
【図１４】給気ユニットの前面の前方に多数の通気孔が形成された多孔板を前面と平行に配置した本発明の実施の形態の説明図である。
【図１５】多孔板の開口率（通気孔の面積）と低温空気の最大風速の関係を示すグラフである。
【図１６】給気口から多孔板までの離隔距離と低温空気の最大風速の関係を示すグラフである。
【図１７】給気ユニットの前面が充分な厚さを有する場合に，円筒を省略した実施の形態の説明図である。
【図１８】円形状の平板を打ち抜いて形成したガイドフィンの斜視図である。
【図１９】本発明の実施例と比較例１，２にかかる空調空間の平面図であり，各機器等の配置を示している。
【図２０】本発明の実施例と比較例１，２を比較した際の空調運転状態を示す表である。
【図２１】地点Ｄの上下温度分布を本発明の実施例と比較例１，２を比較して示したグラフである。
【図２２】地点Ａの風速分布を示したグラフである。
【図２３】地点Ｂの風速分布を示したグラフである。
【図２４】地点Ｃの風速分布を示したグラフである。
【図２５】地点Ｄの風速分布を示したグラフである。
【図２６】地点Ｄの床上１ｍのＰＭＶとＳＥＴ＊を比較したグラフである。
【図２７】発熱機器Ｈ３からトレーサガスを放出した場合における地点Ａの濃度分布を排気口の濃度で無次元化して示したグラフである。
【図２８】発熱機器Ｈ３からトレーサガスを放出した場合における地点Ｃの濃度分布を排気口の濃度で無次元化して示したグラフである。
【図２９】発熱機器Ｈ３からトレーサガスを放出した場合における地点Ｄの濃度分布を排気口の濃度で無次元化して示したグラフである。
【図３０】発熱のない地点Ｂの床上１ｍからトレーサガスを放出した場合における地点Ａ，の濃度分布を排気口の濃度で無次元化して示したグラフである。
【図３１】発熱のない地点Ｂの床上１ｍからトレーサガスを放出した場合における地点Ｃの濃度分布を排気口の濃度で無次元化して示したグラフである。
【図３２】発熱のない地点Ｂの床上１ｍからトレーサガスを放出した場合における地点Ｄの濃度分布を排気口の濃度で無次元化して示したグラフである。
【図３３】外気温度が１０℃の場合において給気温度を３０℃，空調風量を４０００ｍ３／ｈで暖房運転した場合における地点Ｄの上下温度分布を実測比較したグラフである。
【符号の説明】
【００５８】
ＳＡ  低温空気
１    置換換気システム
１０  空調空間
１１  居住域
１２  人間
１５  給気口
１６  排気口
２０  給気ユニット
２２  空調機
２３  給気ダクト
３０  ガイドフィン
３２  円筒
３３  内壁面円筒
４０  排気ファン
４１  排気ダクト
５０  通気孔
５１  多孔板
【図１】
2005282892.tif 000003
【図２】
2005282892.tif 000004
【図３】
2005282892.tif 000005
【図４】
2005282892.tif 000006
【図５】
2005282892.tif 000007
【図６】
2005282892.tif 000008
【図７】
2005282892.tif 000009
【図８】
2005282892.tif 000010
【図９】
2005282892.tif 000011
【図１０】
2005282892.tif 000012
【図１１】
2005282892.tif 000013
【図１２】
2005282892.tif 000014
【図１３】
2005282892.tif 000015
【図１４】
2005282892.tif 000016
【図１５】
2005282892.tif 000017
【図１６】
2005282892.tif 000018
【図１７】
2005282892.tif 000019
【図１８】
2005282892.tif 000020
【図１９】
2005282892.tif 000021
【図２０】
2005282892.tif 000022
【図２１】
2005282892.tif 000023
【図２２】
2005282892.tif 000024
【図２３】
2005282892.tif 000025
【図２４】
2005282892.tif 000026
【図２５】
2005282892.tif 000027
【図２６】
2005282892.tif 000028
【図２７】
2005282892.tif 000029
【図２８】
2005282892.tif 000030
【図２９】
2005282892.tif 000031
【図３０】
2005282892.tif 000032
【図３１】
2005282892.tif 000033
【図３２】
2005282892.tif 000034
【図３３】
2005282892.tif 000035
【手続補正書】
【提出日】平成16年10月21日(2004.10.21)
【手続補正１】
【補正対象書類名】明細書
【補正対象項目名】００２８
【補正方法】変更
【補正の内容】
【００２８】
ここで，ガイドフィン３０の周囲を円筒形状の内壁面３３（円筒３２）で囲んだ場合と，円筒３２を省略してガイドフィン３０の周囲が開放している場合とを比較したところ，次の知見を得た。即ち，給気ユニット２０の前面２１（高さ０．９ｍ，幅０．３ｍ）に直径Ｄ＝９４ｍｍの円形状の給気口１５を１２箇所に設け，各給気口１５にガイドフィン３０を設けたものにおいて，ガイドフィン３０の周囲を円筒３２で囲んだ場合と，円筒３２を省略した場合の，給気ユニット２０の前面２１からの距離に対する気流速度（給気ユニット２０の前面２１から任意の距離を離れた位置における空調空間１０内の最大風速）を比較したところ，図９のようになった。また，同様の場合について，給気ユニット２０の前面２１からの距離に対して，最低空気温度と給気温度との差を給排気温度差で無次元化して比較したところ，図１０のようになった。なお，図１０中の縦軸である最低無次元空気温度は，次式で表される。
最低無次元空気温度TF* ＝ (TF− TS)／(TE − TS)
TF：足元最低温度，TS：吹き出し温度，TE：吸い込み温度